(57)【要約】【課題】  収容支持部に設けた係合用透孔から、支承部材に設けた係合突起が容易には外れないようにして、収容支持部へ支承部材をより確実に固定することのできるシャワーヘッドの支持装置を提供すること。【解決手段】  係合用透孔１６は、収容支持部１１の内周面に、その先端の縦断面形状が突状の被掛り突片２０を備え、係合突起３８は、被掛り突片２０に当接可能に設けられるとともに、その先端が被掛り突片２０を乗り越える位置において、その角度が、支承部材３０の先端方向に対して９０°未満とされる掛り面５４を備えた。【選択図】    図１０
2015190209.tif 000002
【特許請求の範囲】
【請求項１】
筒状に突出する収容支持部を有する支持装置本体と、前記収容支持部の内部に装着された中空状の支承部材とを備え、
前記収容支持部には係合用透孔が穿設され、前記支承部材には係合突起を備え、係合突起が係合用透孔に係合されることにより支承部材は収容支持部に固定され、
可撓管に接続されたシャワーヘッドの基端部分を、可撓管が前記支承部材に挿通された状態で、抜き差し自在に収容するシャワーヘッドの支持装置であって、
前記係合用透孔は内周面に、その先端の縦断面形状が突状の被掛り突片を備え、
前記係合突起は支承部材から突設された梁状部に設けられ、前記被掛り突片に当接可能であり、その先端が被掛り突片を乗り越える位置において、その角度が前記支承部材の先端方向に対して９０°未満とされる掛り面を備えたことを特徴とするシャワーヘッドの支持装置。
【請求項２】
前記係合用透孔の被掛り突片に、前記係合突起の掛り面と面接触する傾斜面を備えたことを特徴とする請求項１に記載のシャワーヘッドの支持装置。
【請求項３】
前記係合突起の掛り面および前記係合用透孔の被掛り突片の底面視形状が四角形状であることを特徴とする請求項１または請求項２に記載のシャワーヘッドの支持装置。
【請求項４】
前記梁状部を、前記支承部材の軸心に対してその径方向外側に傾けて突設し、係合突起が係合用透孔への差込方向に弾性的に付勢されるようにしたことを特徴とする請求項１から請求項３のいずれかに記載のシャワーヘッドの支持装置。
【請求項５】
前記係合用透孔は、係合突起が係合された状態で、水が流通可能な排水用の隙間を設けたことを特徴とする請求項１から請求項４のいずれかに記載のシャワーヘッドの支持装置。
【発明の詳細な説明】
【技術分野】
【０００１】
本発明はシャワーヘッドの支持装置に関する。
【背景技術】
【０００２】
近年、湯水等の水栓の本体にホース等の可撓管を用いて接続されたシャワーヘッドを備えた洗面台や流し台等が広く用いられている。そして、この種の洗面台等においては、シャワーヘッドの後端部を、この可撓管が挿通された状態で抜き差し自在に収容支持する支持装置が用いられることが多い。このような支持装置では筒状に突出する収容支持部と、この収容支持部に装着固定される中空状の支承部材とを備え、シャワーヘッドの後端部は、この支承部材内に収容支持されるのが一般的である。その際、シャワーヘッドの後端部と、支承部材とはセレーションを用いた噛合や、スライド突起とスライド溝との係合等の手法により連結され、この結果、シャワーヘッド全体が支承部材、ひいては、収容支持部に回動不能な状態に支持されることが多い。
【０００３】
一方、このような収容支持部への支承部材の固定には、ネジ止め、ビス止めをする手段の他に、支承部材から突設した係合突起を、収容支持部の係合用透孔に係合させて行うものが知られている。このような係合手段を用いた支持装置は、ネジ止め、ビス止めと比較して、部品点数の削減・ネジ孔やビス孔周辺の応力割れを低減させるメリットがある（特許文献１参照）。
【先行技術文献】
【特許文献】
【０００４】
【特許文献１】特許第３１３１６９０号公報（図３）
【発明の開示】
【発明が解決しようとする課題】
【０００５】
しかしながら、前述した従来のシャワーヘッドの支持装置では、収容支持部から支承部材を強く引き抜くような力が加わった場合に、合成樹脂製とされるような係合突起が撓み、その結果、係合用透孔から係合突起が外れ、収容支持部から支承部材が抜け落ちてしまうなど十分な固定ができない可能性があった。
【０００６】
本発明は前述した従来技術の問題点を解決しようとするものであり、係合用透孔から係合突起が容易には外れないようにして、収容支持部へ支承部材をより確実に固定するシャワーヘッドの支持装置を提供することを目的とする。
【課題を解決するための手段】
【０００７】
以上の課題を解決するために、本発明の採った手段を以下に説明する。本発明の第一の手段のシャワーヘッドの支持装置は、筒状に突出する収容支持部を有する支持装置本体と、前記収容支持部の内部に装着された中空状の支承部材とを備え、前記収容支持部には係合用透孔が穿設され、前記支承部材には係合突起を備え、係合突起が係合用透孔に係合されることにより支承部材は収容支持部に固定され、可撓管に接続されたシャワーヘッドの基端部分を、可撓管が前記支承部材に挿通された状態で、抜き差し自在に収容するシャワーヘッドの支持装置であって、前記係合用透孔は内周面に、その先端の縦断面形状が突状の被掛り突片を備え、前記係合突起は支承部材から突設された梁状部に設けられ、前記被掛り突片に当接可能であり、その先端が被掛り突片を乗り越える位置において、その角度が前記支承部材の先端方向に対して９０°未満とされる掛り面を備えたことを特徴とするものである。
【０００８】
本発明のシャワーヘッドの支持装置では、支承部材の係合突起の掛り面は、収容支持部の係合用透孔内の被掛り突片に係合されて、支承部材が収容支持部に対して固定される。この状態において、収容支持部から支承部材を引き抜くような力が加わった場合には、支承部材から突設された梁状部は、係合突起の掛り面が大きくなるように撓もうとするが、掛り面の先端が被掛り突片を乗り越える位置においても、その角度が９０°未満となるように掛り面の角度があらかじめ定められている。よって、前述のようにして係合突起が撓もうとしても、係合される被掛り突片を介して掛り面に加わる力は、掛り面の前述した角度が小さくなる方向に働く。よって、前述した掛り面の角度は９０°以上に大きくはならない。したがって、係合突起が破断するような状態に至るまでは、被掛り突片と掛り面との係合状態が解除されることは無い。
【０００９】
また、本発明の第二の手段のシャワーヘッドの支持装置は、前記係合用透孔の被掛り突片に、前記係合突起の掛り面と面接触する傾斜面を備えたことを特徴とするものである。
【００１０】
係合用透孔の被掛り突片に、係合突起の掛り面と面接触する傾斜面を備えることにより、被掛り突片と掛り面とを安定して係合させることができる。よって、収容支持部から支承部材を引き抜くような力が加えられていない状態も含めて、被掛り突片と掛り面とが安定的に係合される。よって、支持装置に振動などが加えられた場合でも、被掛り突片と掛り面とが振動したり接触音を生ずるようなおそれを低減することができる。
【００１１】
また、本発明の第三の手段のシャワーヘッドの支持装置は、前記係合突起の掛り面および前記係合用透孔の被掛り突片の底面視形状が四角形状であることを特徴とするものである。
【００１２】
掛り面および被掛り突片の底面視形状を四角形状とすることにより、底面視形状を三角形状などの突起状とした場合などに比べて、両部位が係合される部位を幅広くすることができる。よって、係合突起と係合用透孔をより安定的に係合させることができる。
【００１３】
また、本発明の第四の手段のシャワーヘッドの支持装置は、前記梁状部を、前記支承部材の軸心に対してその径方向外側に傾けて突設し、係合突起が係合用透孔への差込方向に弾性的に付勢されるようにしたことを特徴とするものである。
【００１４】
このように係合突起が設けられる梁状部をあらかじめ傾けて突設しておくことにより、係合用透孔に係合された状態では係合突起が係合用透孔への差込方向に付勢されるようにしておくことができる。よって、より一層、係合用透孔から係合突起が外れ難くすることができる。
【００１５】
また、本発明の第五の手段のシャワーヘッドの支持装置は、前記係合用透孔は、係合突起が係合された状態で、水が流通可能な排水用の隙間を設けたことを特徴とするものである。
【００１６】
支承部材に挿通された可撓管には、シャワーヘッドを抜き差しする際に湯水が付着し、支持装置内にこの湯水が浸入するため、支持装置本体には、この湯水を支持装置本体の外部に排出するための水抜き孔を設ける必要がある。本発明のように係合用透孔は、係合突起が係合された状態で、水が流通可能な排水用の隙間を設けることにより、このような水抜き孔を係合用透孔の他に設ける必要を無くすことができる。
【発明の効果】
【００１７】
本発明のシャワーヘッドの支持装置は前述のように構成されているので、係合用透孔から係合突起が容易には外れないようにして、収容支持部へ支承部材をより確実に固定することができる。
【図面の簡単な説明】
【００１８】
【図１】図１は、本発明のシャワーヘッドの支持装置を用いたシャワー装置の一部破断側面図である。
【図２】図２は、図１のシャワー装置の分解斜視図である。
【図３】図３は、図１のシャワー装置の先端部分の要部破断面図である。
【図４】図４は、支承部材および収容支持部の分解斜視図である。
【図５】図５は、支承部材および収容支持部の拡大縦断面図である。
【図６】図６は、支承部材および収容支持部の拡大底面図である。
【図７】図７は、支承部材および収容支持部の拡大縦断面図である。
【図８】図８は、支承部材および収容支持部の拡大縦断面図である。
【図９】図９は、支承部材および収容支持部の拡大縦断面図である。
【図１０】図１０は、支承部材および収容支持部の要部拡大縦断面図である。
【図１１】図１１は、第２の実施の形態の支承部材および収容支持部の要部拡大縦断面図である。
【図１２】図１２は、第３の実施の形態の支承部材および収容支持部の要部拡大縦断面図である。
【図１３】図１３は、第４の実施の形態の支承部材および収容支持部の要部拡大縦断面図である。
【図１４】図１４は、参考例である第５の実施の形態の支承部材および収容支持部の要部拡大縦断面図である。
【図１５】図１５は、参考例である第６の実施の形態の支承部材および収容支持部の要部拡大縦断面図である。
【図１６】図１６は、参考例である第７の実施の形態の支承部材および収容支持部の要部拡大縦断面図である。
【発明を実施するための形態】
【００１９】
次に、本発明の実施の形態について図を参考にして詳細に説明する。図１および図２に示されるように、本発明のシャワーヘッドＨの支持装置Ｘは、洗面台の洗面器（図示を省略）の上面に立設された湯水混合水栓Ｌと一体とされている。また、この支持装置Ｘは、可撓性を有する所定のホースＳを用いて、湯水混合水栓Ｌの混合部材（図示省略）に接続されたシャワーヘッドＨの後端部Ｋを、このホースＳを挿通させた状態で抜き差し自在に収容するものである。
【００２０】
図３および図４に示されるように、この支持装置Ｘは、装置本体１０と支承部材３０とを備えている。このうち、装置本体１０は洗面器の斜め上方に突出する収容支持部１１を備えている。この収容支持部１１は図４に示されるように、下方に向けた円弧部１２と円弧部１２の上方に備えられた平面部１３とからなる断面形状を備えた筒状に形成されている。そして、収容支持部１１の突出端側の下方壁部分には、周回りに沿って長手方向が向けられた長円形状の水抜き孔１４が設けられている。そしてまた、この水抜き孔１４よりも後端側の収容支持部１１の下方壁部分には、軸心方向に沿って長い長方形状の係合用透孔１６が設けられている。
【００２１】
前記支承部材３０は樹脂等の弾性素材を一体成形して作製した中空品である。この支承部材３０は、図２から図４に示すように、やや長めの円筒形にその全体形状が形成されており、その先端は下方に向けて僅かに屈曲された形状とされている。支承部材３０の円筒状に形成された基体部３２には、基体部３２の軸心方向に沿って形成されるとともに後端部側に開口される切欠き３４が設けられている。そして、この切欠き３４の奥端から基体部３２の後端部側に向けて梁状部３６が突設されている。そして、梁状部３６には、後述するように収容支持部１１の係合用透孔１６に係合される係合突起３８が備えられている。この係合突起３８は、梁状部３６の後端より下方に向けて突設されている。
【００２２】
また、基体部３２の中央付近には、基体部３２の軸心周りにおける梁状部３６とほぼ同じ位置に、水抜き用の開口部４０が設けられている。開口部４０は支承部材３０の下方から見ておおよそ正方形状に開口されている。また、支承部材３０の軸心方向において、この開口部４０の後端側には、Ｏリング用溝４３を備えたフランジ４２が形成され、Ｏリング用溝４３にはＯリング４１が装着されている。また、支承部材３０の軸心方向において開口部４０の先端側には、フランジ４４が形成され、さらに先端側には嵌合フランジ４５が形成されており、これらの間に、Ｏリング４１が装着されたＯリング用溝４３が設けられている。このように２つのＯリング４１により、開口部４０の前後において、収容支持部１１の内周面と基体部３２の外周面との水密が図られるように構成されている。また、嵌合フランジ４５の外形は、収容支持部１１の突出端の開口部１５内とほぼ同形状の非真円形状の外形とされており、支承部材３０の収容支持部１１への装着時には、収容支持部１１の軸心周りにおける支承部材３０の位置決めを適切かつ簡易になすことができるように構成されている。
【００２３】
図３に示されるように、支承部材３０の内周面のうち開口部４０の後端側のフランジ４３に位置する部位には、径方向内側に向けて周設された水切り用フランジ４６が形成されている。水切り用フランジ４６の内径は、挿通されるホースＳよりも僅かにだけ大きく形成されており、ホースＳに付着した湯水の流下を止め、これにより、開口部４０と収容支持部１１の水抜き孔１４とから、収容支持部１１の外部に湯水を排出できるように構成されている。
【００２４】
図３および図４に示されるように、支承部材３０の先端には、シャワーヘッドＨの後端部Ｋの内部に設けられたセレーションＲと噛合するセレーションＭが設けられている。図３に示されるように、シャワーヘッドＨは、支承部材３０のこのセレーションＭに対して後端部ＫのセレーションＲが噛合されることにより、支承部材３０に対して、すなわち支持装置Ｘに対して、回動不能に支持されるように構成されている。
【００２５】
次いで、前述した係合用透孔１６、梁状部３６および係合突起３８の詳細について説明する。図５に示されるように、係合用透孔１６の内周面のうち、収容支持部１１の先端寄りの部位には、その先端の縦断面形状が突状の被掛り突片２０が備えられている。被掛り突片２０は、収容支持部１１の軸心に沿って、収容支持部１１の内周面からその係合用透孔１６に向けて延設された延設面２２と、この延設面２２の先端から折り返して延設面２２に対して５５°の角度で形成された傾斜面２４とから構成されている。また、この被掛り突片２０は図６に示されるように、底面視において四角形状に形成されており、特に本例では収容支持部１１の幅方向に長い長方形状に形成されている。
【００２６】
係合突起３８は、前述の通り梁状部３６の後端から下方に向けて突設されている。図５に示されるように、係合突起３８は、梁状部３６から下方に向けて延設される延設部５０と、この延設部５０から、支承部材３０の先端方向に向けて延設された掛り部５２とを備えている。掛り部５２は、底面視において長方形状に、側面視において、その先端が梁状部３６の先端方向に向けて鋭角とされる平行四辺形状に形成されている。そして、掛り部５２の内側には、前述した係合用透孔１６の被掛り突片２０が係合される掛り面５４が備えられている。そして掛り面５４は、支承部材３０の軸心先端側に対して、５５°の傾斜面に形成されており、係合突起３８が係合用透孔１６に係合された状態において、掛り面５４と傾斜面２４とが面接触するように構成されている。また、係合突起３８の掛り面５４は図４および図６に示されるように、底面視において四角形状に形成されており、特に本例では支承部材３０の径方向に長い長方形状に形成されている。
【００２７】
次に、支承部材３０の収容支持部１１に対する装着方法を説明する。先ず、図４および図７に示されるように、支承部材３０の後端を、収容支持部１１の突出端の前方に配置する。このとき、支承部材３０に設けられた係合突起３８を下方側に位置するようにしておく。次いで、図８に示されるように、梁状部３６を支承部材３０の径方向内側に撓ませながら、支承部材３０を収容支持部１１内に挿入する。図９に示されるように、係合突起３８が係合用透孔１６に到達したところで、梁状部３６が復元し始める。そして、図５に示されるように、係合突起３８が係合用透孔１６に差し込まれて係合し、この装着が完了される。なお、この装着状態において、収容支持部１１と支承部材３０のそれぞれの軸心は一致し、すなわち平行となるように構成されている。
【００２８】
次に本支持装置Ｘの作用を説明する。図５に示されるように、支承部材３０の係合突起３８が収容支持部１１の係合用透孔１６に係合された通常の状態では、係合突起３８の掛り面５４と被掛り突片２０の傾斜面２４とが面接触されており、両部材間には隙間が無く、振動したり接触音を生ずるようなおそれを低減することができる。
【００２９】
一方、収容支持部１１から支承部材３０を引き抜くような力が加わった場合には、図１０に示されるように梁状部３６が撓み、その先端が支承部材３０の軸心に近づくように変形しようとする。この際に、前述のように角度を付けられた掛り面５４は、その先端が被掛り突片２０の先端を乗り越えるように変形される状態、すなわち係合突起３８が係合用透孔１６から外れる際の状態においても、収容支持部１１および支承部材３０の軸心先端方向から９０°以上となることはない。よって、支承部材３０を引き抜くような力が加わった場合に、梁状部３６が撓んだとしても、係合される被掛り突片２０を介して掛り面５４に加わる力は、掛り面５４の角度が小さくなろうとする方向に働くので、前述した掛り面の角度は９０°以上に大きくはならない。したがって、梁状部３６などが破断するような状態に至るまで、被掛り突片２０と掛り面５４との係合状態が解除されることは無い。このようにして、収容支持部１１からの支承部材３０の抜け落ちをより確実に防止することができる。
【００３０】
本発明の実施の形態は前述のように構成されているが、本発明はこの実施の形態に限られるものではなく、本発明の主旨の範囲内で種々の変更が可能である。以下の例において第１の実施の形態と共通する構成については、第１の実施の形態と同一の符号を図面に付して説明を省略する。図１１に示す第２の実施の形態の支持装置Ｘａは、収容支持部１１の被掛り突片２０ａの形状が第１の実施の形態と異なるものである。この支持装置Ｘａの被掛り突片２０ａは、前述した第１の実施の形態の被掛り突片２０よりもさらに鋭角的な縦断面形状をしている。このため、被掛り突片２０ａ下部の傾斜面２４ａの基端寄りと係合突起３８の掛り面５４の先端寄りとの間に、所定角度の隙間が生ずることになり傾斜面２４ａと掛り面５４とは面接触するものではない。しかしながら前述した第１の実施の形態と同様に、掛り面５４の先端が被掛り突片２０ａの先端を乗り越えるように梁状部３６が撓んだとしても、被掛り突片２０ａに係合されている掛り面５４の角度によって、係合される被掛り突片２０ａを介して掛り面５４に加わる力は、掛り面５４の角度が小さくなる方向に働くことは同様であり、よって、前述した掛り面の角度は９０°以上に大きくはならない。したがって、梁状部３６などが破断するような状態に至るまで、被掛り突片２０ａと掛り面５４との係合状態が解除されることは無い。
【００３１】
図１２に示される第３の実施の形態の支持装置Ｘｂは、梁状部３６ｂを、支承部材３０の軸心方向に対して、その径方向外側に傾けて突設したものである。このように梁状部３６をあらかじめ傾けて突設しておくことにより、係合突起３８が係合用透孔１６に係合された状態において、係合突起３８が係合用透孔１６への差込方向に弾性的に付勢されるように設けることができ、収容支持部１１からの支承部材３０の抜け落ちをより一層確実に防止することができる。
【００３２】
図１３に示される第４の実施の形態の支持装置Ｘｃは、被掛り突片２０ｃの上部に傾斜面２４ｃを設け、下部に、収容支持部１１の軸心と平行な延設面２２ｃを設けている。一方、梁状部３６の先端から下方に向けて傾斜面２４ｃと同じ角度の傾斜部６０を延設し、さらにこの傾斜部６０の先端から折り返すように、延設面２２ｃと面接触する掛り面５４ｃを備えた掛り部５２ｃを設けている。また、本実施の形態においては、係合用透孔１６ｃに係合突起３８ｃが係合された状態において、収容支持部１１の後端側に排水用の隙間７０が生ずるように設けられている。このような隙間７０を設けることにより、前述した実施の形態のように水抜き孔１４を設ける必要が無いので、孔の数を減らすことによる製造コストの低減や支持装置Ｘｃの美観の向上を実現することができる。
【００３３】
また、これらの実施の形態とは異なる参考例である第５の実施の形態として、例えば図１４に示される支持装置Ｘｄのように、係合突起３８の掛り面５４ｄおよびこれが係合する係合用透孔１６ｄの内周面８０に細かな凹凸８２をそれぞれ形成し、係合突起３８が係合用透孔１６ｄから容易に抜けないように構成することができる。また、同様に、参考例である第６および第７の実施の形態として、図１５に示される支持装置Ｘｅのように、係合突起３８の表面に縦断面三角形の突起８４を突設し、一方、係合用透孔１６の内周面にこれと嵌合可能な縦断面三角形の凹部８６を形成することにより、係合突起３８の掛り面５４が係合用透孔１６から容易に抜けないように構成することができる。また、図１６に示される支持装置Ｘｆのように、係合突起３８の表面に縦断面四角形の突起８５を突設し、一方、係合用透孔１６の内周面にこれと嵌合可能な縦断面四角形の凹部８７を形成することにより、係合突起３８の掛り面５４が係合用透孔１６から容易に抜けないように構成することができる。なお、これらの図１５および図１６の例においては、突起８４または突起８５を係合用透孔１６側に設け、凹部８６または凹部８７を係合突起３８側に設けるように変更することも可能である。
【産業上の利用可能性】
【００３４】
本発明は、支承部材と収容支持部を備えた種々のシャワー支持装置に広く利用することができる。
【符号の説明】
【００３５】
Ｈ；シャワーヘッド、Ｋ；後端部、Ｌ；湯水混合水栓、Ｍ，Ｒ；セレーション、Ｓ；ホース、Ｘ，Ｘａ〜Ｘｅ；支持装置、１０；装置本体、１１；収容支持部、１２；円弧部、１３；平面部、１４；水抜き孔、１５；開口部、１６，１６ｃ，１６ｄ；係合用透孔、２０，２０ａ，２０ｃ；被掛り突片、２２，２２ｃ；延設面、２４，２４ａ，２４ｃ；傾斜面、３０；支承部材、３２；基体部、３４；切欠き、３６，３６ｂ；梁状部、３８，３８ｃ；係合突起、４０；開口部、４１；Ｏリング、４２；フランジ、４３；Ｏリング用溝、４４；フランジ、４５；嵌合フランジ、４６；水切り用フランジ、５０；延設部、５２，５２ｃ；掛り部、５４，５４ｃ，５４ｄ；掛り面、６０；傾斜部、７０；隙間、８０；内周面、８２；凹凸、８４；突起、８５；突起、８６；凹部、８７；凹部。
【図１】
2015190209.tif 000003
【図２】
2015190209.tif 000004
【図３】
2015190209.tif 000005
【図４】
2015190209.tif 000006
【図５】
2015190209.tif 000007
【図６】
2015190209.tif 000008
【図７】
2015190209.tif 000009
【図８】
2015190209.tif 000010
【図９】
2015190209.tif 000011
【図１０】
2015190209.tif 000012
【図１１】
2015190209.tif 000013
【図１２】
2015190209.tif 000014
【図１３】
2015190209.tif 000015
【図１４】
2015190209.tif 000016
【図１５】
2015190209.tif 000017
【図１６】
2015190209.tif 000018